(57)【要約】映像配信サーバ１０２と複数の映像表示装置１０３が、データ送受信前に夫々が内蔵しているタイマ部３２５を同期させると共に、２つの装置間で通信中に隣接装置と他の装置との通信データが混信しないように、複数のデータ送信間隔を規定する送受信スケジュール３２４を共有しておき、夫々のタイマ部３２５を参照して、予め指定されたデータ送受信スケジュール３２４に従ってデータを送受信するようにした映像伝送システム。
2004068740.tif 000002
【特許請求の範囲】
【請求項１】
第１の通信部と、時間を計測する第１のタイマー部と、データを保存する第１の記録装置と、前記第１の通信部及び前記第１のタイマー部及び前記第１の記録装置を制御する第１の情報処理部とを備えた通信基地局と、
第２の通信部と、時間を計測する第２のタイマー部と、データを保存する第２の記憶装置と、前記第２の記憶装置内のデータを表示する映像表示部と、前記第２の通信部、前記第２のタイマー部、前記第２の記憶装置及び前記映像表示部を制御する第２の情報処理部とを備えた複数の映像表示装置とを備えた映像伝送システムにおいて、
前記通信基地局の前記第１の情報処理部は、前記第２のタイマー部の値を前記第１のタイマー部の値に同期させるための同期信号を前記第１の通信部を介して前記第２の情報処理装置へ送信し、
各映像表示装置の前記第２の情報処理装置は、前記第１の情報処理装置からの前記同期信号に基づいて、前記第２のタイマー部の値を前記第１のタイマー部の値に同期させ、前記第２のタイマー部の値が予め定められた第１の時間になると、前記第２の通信部を介して前記第１の情報処理装置からのデータの受信を開始し、前記第２のタイマー部の値が予め定められた第２の時間になると、前記第１の情報処理装置からのデータの受信を停止し、前記第２の通信部を介して受信されたデータを前記第２の記憶装置に格納し、前記第２の記憶装置に保存したデータを前記映像表示部に表示させる映像伝送システム。
【請求項２】
請求の範囲第１項に記載の映像伝送システムにおいて、
前記通信基地局の前記第１の通信部及び前記各映像表示装置の前記第２の通信部が、指向性アンテナを含み、前記指向性アンテナを用いて通信する映像伝送システム。
【請求項３】
請求の範囲第１項に記載の映像伝送システムにおいて、
前記通信基地局の前記第１の情報処理部が、前記第１のタイマー部の値に基づくデータの送信間隔、受信間隔、送受信停止間隔の少なくとも１つに基づいて、前記第１の時間及び前記第２の時間を規定したスケジュール情報を前記第１の通信部を介して前記複数の映像表示装置のうちの少なくとも１つに送信し、
前記複数の映像表示装置のうちの少なくとも１つの前記第２の情報処理部が、前記第１の情報処理装置からの前記スケジュール情報に従って、データの受信を開始又は停止する映像伝送システム。
【請求項４】
請求の範囲第３項に記載の映像伝送システムにおいて、
前記複数の映像表示装置のうちの少なくとも１つの前記第２の情報処理部が、前記第２のタイマー部の値に基づくデータの送信間隔、受信間隔、送受信停止間隔の少なくとも１つから構成されたスケジュール情報を前記第２の通信部を介して前記複数の映像表示装置のうちの他の少なくとも１つへ送信し、
前記複数の映像表示装置のうちの他の少なくとも１つの前記第２の情報処理部が、前記スケジュール情報に従ってデータの受信を開始又は停止し、
前記第２のタイマー部の値に基づくデータの送信間隔、受信間隔、送受信停止間隔の夫々が、前記第１のタイマー部の値に基づくデータの送信間隔、受信間隔、送受信停止間隔の夫々とは異なる映像伝送システム。
【請求項５】
請求の範囲第１項に記載の映像伝送システムにおいて、
前記複数の映像表示装置のうちの少なくとも１つの前記第２の情報処理部が、情報送信開始信号を前記第２の通信部を介して前記複数の映像表示装置のうちの他の少なくとも１つに送信し、
前記複数の映像表示装置のうちの他の少なくとも１つの前記第２の情報処理部が、情報受信可能信号を前記第２の通信部を介して、前記複数の映像表示装置のうちの少なくとも１つに送信し、
前記複数の映像表示装置のうちの少なくとも１つの前記第２の情報処理部が、前記複数の映像表示装置のうちの少なくとも１つの前記情報送信開始信号と、前記複数の映像表示装置のうちの他の少なくとも１つからの前記情報受信可能信号との時間間隔を測定し、前記時間間隔が所定の値以上である場合に、前記複数のの映像表示装置のうちの他の少なくとも１つの前記第２のタイマー部の値が前記複数の映像表示装置のうちの少なくとも１つの前記第２のタイマー部の値とずれていると判断し、前記複数の映像表示装置のうち少なくとも１つの前記第２のタイマー部の値又は前記通信基地局の前記第１のタイマー部の値を送信し、
前記複数の映像表示装置のうち少なくとも１つの前記第２の情報処理部が、記複数の映像表示装置のうち少なくとも１つの前記第２のタイマー部の値、又は前記通信基地局の前記第１のタイマー部の値に基づいて、前記複数の映像表示装置のうち少なくとも１つの前記第２のタイマー部を同期する映像伝送システム。
【請求項６】
請求の範囲第１項に記載の映像伝送システムにおいて、
前記複数の映像表示装置のうちの少なくとも１つの前記第２の情報処理部が、前記通信基地局からのデータを前記第２の記憶装置に保存し、前記データを前記第２の記憶装置から読み出し、読み出された前記データを前記映像表示部に表示させると共に、読み出された前記データを前記第２の通信部を介して前記複数の映像表示装置の他の少なくとも１つへ送信し、
前記複数の映像表示装置のうちの少なくとも１つ前記第２の通信部が、前記第２の記憶装置から全てのデータを読み出す前に、前記通信基地局からデータを受信する映像伝送システム。
【請求項７】
請求の範囲第１項に記載の映像伝送システムにおいて、
前記通信基地局及び前記映像表示装置が移動可能である映像伝送システム。
【請求項８】
通信基地局又は上流の映像表示装置から受信された映像データを映像表示部に表示し、前記映像データを下流の映像表示装置へ送信する映像表示装置において、
前記通信基地局が前記映像データを送信する送信間隔、及び前記通信基地局が前記映像データを送信しない送信停止間隔を規定したスケジュールを前記通信基地局又は前記上流の映像表示装置から受信するスケジュール受信部と、
時間をカウントするタイマー部と、
前記タイマー部の時間を参照して、前記スケジュールに従って前記送信間隔中に、前記映像データを前記通信基地局又は前記上流の映像表示装置から受信する映像データ受信部と、
前記映像データを記憶する記憶部と、
前記記憶部から前記映像データを読み出して、前記映像表示部に表示させる表示制御部と、
前記タイマー部の時間を参照して、前記スケジュールに従って前記記憶部から前記映像データを読み出して、前記送信停止間隔中に、前記映像データを前記下流の映像表示装置へ送信する送信部とを備えた映像表示装置。
【請求項９】
請求の範囲第８項に記載の映像表示装置において、
前記スケジュールで指定した時間が経過した場合に、前記タイマー部の時間をリセットするリセット部を備えた映像表示装置。
【請求項１０】
請求の範囲第８項に記載の映像表示装置において、
前記通信基地局の時間データを前記通信基地局、又は前記上流の映像表示装置から受信する時間データ受信部と、
前記時間データに基づいて、前記タイマー部の時間を前記通信基地局の時間に同期させる同期部とを備えた映像表示装置。
【請求項１１】
上流の映像表示装置を介して通信基地局から受信された映像データを映像表示部に表示し、前記映像データを下流の映像表示装置へ送信する映像表示装置において、
前記通信基地局が前記映像データを送信する送信間隔、及び前記通信基地局が前記映像データを送信しない送信停止間隔を規定したスケジュールを前記上流の映像表示装置から受信するスケジュール受信部と、
時間をカウントするタイマー部と、
前記タイマー部の時間を参照して、前記送信停止間隔のうちの一部間隔中に、前記映像データを前記上流の映像表示装置から受信する映像データ受信部と、
前記映像データを記憶する記憶部と、
前記記憶部から前記映像データを読み出して、前記映像表示部に表示させる表示制御部と、
前記タイマー部の時間を参照して、前記スケジュールに従って前記記憶部から前記映像データを読み出して、前記送信停止間隔のうちの他の間隔中に、前記映像データを前記下流の映像表示装置へ送信する送信部とを備えた映像表示装置。
【請求項１２】
上流の映像表示装置を介して前記通信基地局から受信された映像データを映像表示部に表示し、前記映像データを下流の映像表示装置へ送信する映像表示装置において、
前記通信基地局が前記映像データを送信する送信間隔、及び前記通信基地局が前記映像データを送信しない送信停止間隔を規定したスケジュールを前記上流の映像表示装置から受信するスケジュール受信部と、
時間をカウントするタイマー部と、
前記タイマー部の時間を参照して、前記スケジュールに従って前記送信停止間隔中に前記映像データを前記上流の映像表示装置から受信する映像データ受信部と、
前記映像データを記憶する記憶部と、
前記記憶部から前記映像データを読み出して、前記映像表示部に表示させる表示制御部と、
前記タイマー部の時間を参照して、前記スケジュールに従って前記記憶部から前記映像データを読み出して、前記送信間隔中に前記映像データを前記下流の映像表示装置へ送信する送信部とを備えた映像表示装置。
【発明の詳細な説明】
【技術分野】  本発明は、放送を含む無線通信における映像データの送受信が可能な伝送システム及び映像表示装置に関する。
【背景技術】  無線伝送方式で複数装置間でデータ伝送を行う場合、１例として、基地局Ａと端末Ｂ、Ｃが存在する場合を想定する。通常、基地局Ａは、各端末との送信を制御しており、基地局Ａと端末Ｂとの間でデータを送受信している最中は、端末Ｃはデータを送受信できない。従って、この期間中は、無線通信部への電力供給を停止することによって、端末Ｃの消費電力を抑えることが可能となる。このとき、端末Ｃからは不要電波が発生しないため、干渉による他の端末の通信への影響を抑えることが可能となる。
例えば、特開２００２−３００１７５号公報では、基地局が、各端末と通信する際に、その端末に次の通信開始時間を通知することによって、各端末が通信期間以外では無線通信部への電力供給を停止するようにしている。
上記従来技術では、データ通信の都度、時間情報を送信するようにしているため、データ転送時に送信される制御情報量が増加し、通信効率が低下する。更に、上記従来技術では、各瞬時において基地局と１台の端末間でのみ通信可能となっているため、端末間での通信、基地局と複数の端末間の同時通信、及び複数の端末間での同時通信を実現できない。また、上記従来技術では、基地局と各端末の無線通信アンテナの指向性、有効通信範囲については考慮されていない。
【発明の開示】
本発明の目的は、上流側の装置とデータを送受信する際の電波と下流側の装置とデータを送受信する場合の電波との相互干渉を抑制できる映像伝送システム及び映像表示装置を提供することにある。
本発明の他の目的は、システムを構成する装置の台数が増えても、制御用の無線信号による帯域の消費を回避できる映像伝送システム及び映像表示装置を提供することにある。
本発明の他の目的は、消費電力を削減できる映像伝送システム及び映像表示装置を提供することにある。
本発明の他の目的は、既存の装置の制御ソフトウェアの変更のみで実現可能な映像伝送システム及び映像表示装置を提供することにある。
本発明の他の目的は、システムを構成する装置間でデータの送受信が断続的に行われた場合でも連続的な動画を表示することが可能な映像伝送システム及び映像表示装置を提供することにある。
本発明の他の目的は、システムを構成する装置の通信範囲が狭くても、システム全体として広範囲に映像を配信できる映像伝送システム及び映像表示装置を提供することにある。
本発明では、通信基地局（例えば、映像配信サーバ）と複数の映像表示装置が、それぞれタイマを内蔵し、各映像表示装置によるデータの送受信の開始に先立って、通信基地局から各映像表示装置に、タイマの時刻合わせ情報と、該映像表示装置と通信基地局間または複数の映像表示装置間のデータ送受信時間間隔と通信待機時間間隔とを指定する時間間隔情報を送信する。
各映像表示装置は、上記時刻合わせ情報により内蔵タイマの時刻を調整し、上記時間間隔情報に基づいて送受信時間間隔と待機時間間隔とを設定し、データの送受信時に、上記内蔵タイマの時間を参照して、複数の映像表示装置に含まれる他の映像表示装置または通信基地局との間でデータの送受信を行い、待機時間になるとデータの送受信を停止する。
本発明は、各映像表示装置の通信範囲（電波の到達範囲）が予め判っている場合、通信範囲が近接した位置にある複数の映像表示装置が互いに異なった通信時間帯と待機時間帯をもつように、通信基地局から各映像表示装置に一括して通信時間間隔と待機時間間隔とを指定する。
本発明は、各映像表示装置および通信基地局の通信範囲が予め判っている場合、データ送受信をオーバーラップして行っても電波が干渉しない程度に離れて位置した映像表示装置に対して、通信基地局から同一フェーズの通信時間間隔と待機時間間隔を割当てる。
【図面の簡単な説明】  第１図は、本発明を適用したシステム構成の一例を示す。
第２図は、第１図のシステムの概念説明図である。
第３図は、本発明を適用したシステムを構成する機器の詳細図である。
第４図は、第１図のシステムにおける映像表示装置の送受信スケジュールレジスタの１例を示す。
第５図は、第１図のシステムの同期、データ転送時の動作説明図である。
第６図は、第５図の同期処理の詳細フローチャートである。
第７図は、第５図のデータ転送再生処理の詳細フローチャートである。
第８図は、第１図のシステムの双方向データ転送時の動作説明図である。
第９図は、第８図の双方向データ転送処理の詳細フローチャートである。
第１０図は、本発明を適用したシステム構成の別の一例を示す。
第１１図は、第１０図のシステムの概念説明図である。
第１２図は、第１０図のシステムにおける映像表示装置の送受信スケジュールレジスタの１例を示す。
第１３図は、第１０図のシステムにおける同期とデータ転送の動作説明図である。
第１４図は、第１０図のシステムにおける双方向データ転送の動作説明図である。
【発明を実施するための最良の形態】  以下、本発明の一実施形態について説明する。
第１図は、本発明によるシステム構成とそのシステムでの有効通信範囲の一例を示す。システム構成１００は、本発明を適用するシステムの構成を示し、映像配信サーバ１０２は、映像表示装置（Ａ、Ｂ、Ｃ、Ｄ、…）１０３で表示すべき映像データを配信するサーバである。各映像表示装置１０３は、映像配信サーバ１０２及び他の映像表示装置１０３から送信されてきたデータを表示する機能と、別の映像表示装置１０３へのデータ転送機能を持つ。本実施形態では、映像配信サーバ１０２と各映像表示装置１０３は、指向性アンテナ１０１を搭載している。各映像表示装置１０３は、受信機能だけでなく送信機能を有する。ここで、映像配信サーバ１０２および映像表示装置１０３は、移動体通信機器（例えば、携帯電話やＰＤＡ）で構成してもかまわない。
これらの機器の通信範囲を各装置の電波の様子１１０に示す。サーバと各機器（映像表示装置）からの送信電波は、指向性を有し、通信対象となる特定の機器とのみ通信が可能となるように指向性が調節されている。ここで、電波の指向性を実現するための指向性アンテナとしては、例えば、単方向にのみ電波の指向性を持たせることが可能なアダプティブアレーアンテナなどが好ましい。各映像表示装置は、１つのアンテナの指向性を通信相手に応じて回転してもよいし、通信相手と対応した複数のアンテナを備え、これら複数のアンテナの有効／無効を切り替えてもよい。
例えば、映像配信サーバ１０２と映像表示装置Ａとの間では、有効通信範囲Ａ：１１２で示すような通信範囲が形成される。同様に、映像表示装置Ａと映像表示装置Ｂ間では、有効通信範囲Ｂ：１１５で示す通信範囲が形成される。このとき、有効通信範囲Ａ：１１２と有効通信範囲Ｂ：１１５は、映像表示装置Ａの付近で重なり、電波干渉領域１１６が発生する。このため、映像配信サーバ１０２、映像表示装置Ａ、映像表示装置Ｂがオーバーラップして通信を行おうとすると、電波干渉が発生し、通信効率が低下する。
第２図は、本発明のシステムにおける各装置の通信の様子を示す。本発明では、同時通信可能な機器間の通信パターンとして、フェーズＦ１：２００と、フェーズＦ２：２０１の２種類を用意する。それぞれの通信パターンでは、各映像表示装置の通信範囲が重ならないようになっている。本発明は、この２つのフェーズを時分割で切り替えることによって、電波干渉領域１１６の発生を抑え、通信効率を高めることを可能としている。
第３図は、本発明のシステムを構成する各機器の詳細構成図である。映像配信サーバ１０２は、通信時間を管理するタイマー部３００と、映像データ、タイマー時刻合わせ情報、配信スケジュール等の各種情報を記録する情報記録部３０３と、映像表示装置１０３と無線通信を行う無線通信部３０２と、これらの構成要素を制御すると共に、タイマー部３００が示す時間に応じて、情報記録部３０３から映像表示装置１０３に送信すべき映像データを読み出し、無線通信部３０２を制御して映像データを送信する情報処理部３０１とから構成される。タイマー部３００では、時をカウントする。
映像表示装置１０３は、プラズマディスプレイパネル、液晶ディスプレイパネル、ＣＲＴ等の各種映像表示装置で構成される映像表示部３２２と、映像配信サーバ１０２または他の映像表示装置１０３と無線通信を行うための無線通信部３２１と、他の機器から送信されてきた映像データを一時的に保存するためのバッファ部３２０と、映像データの送受信期間と待機時間を計測するために使用されるタイマー部と、これらの構成要素を制御する情報処理部３２３とから構成される。情報処理部３２３は、他の機器から送信されてきた映像データをバッファ部３２０に蓄積し、映像表示装置１０３に表示すると共に、タイマー部３２５の出力に応答して、予め指定された時間となった時、他の機器と映像データを送受信する機能を実現する。尚、情報処理部３２３には、データの送受信のタイミングを記録する送受信スケジュールレジスタ３２４が内蔵されている。
第４図は、送受信スケジュールレジスタ３２４の構成の一例を示す。このレジスタ３２４は、第２図に示したフェーズＦ１：２００の時間間隔とフェーズＦ２：２０１の時間間隔との組み合せを示す複数のパターン４０２を記録し、情報処理部３２３は、これらのパターンに従ってフェーズを切り替えることによって、無線時分割データ転送機能を実現する。
制御パターン数ｎ：４０１は、このレジスタ３２４に記録されている有効パターン数を示す。パターン１〜パターンｎ：４０２は、それぞれＦ１（フェーズＦ１）時間間隔とＦ２（フェーズＦ２）時間間隔の組合せを示し、パターン間では、フェーズＦ１の時間間隔とフェーズＦ２の時間間隔が異なる。フェーズＦ１の時間間隔の長さとフェーズＦ２の時間間隔の長さは、同程度でもよいし、フェーズＦ１の時間間隔の長さよりもフェーズＦ２の時間間隔の長さが長くてもよいし、短くてもよい。
フェーズＦ１は、映像配信サーバ１０２がデータを送信するフェーズを示す。Ｆ１の時間間隔とは、映像配信サーバ１０２がデータの送信を開始してからデータ送信を終了するまでの期間をいう。フェーズＦ２は、映像配信サーバ１０２がデータを送信しないフェーズ、即ち、データ送信を停止するフェーズを示す。フェーズＦ２の時間間隔とは、映像配信サーバ１０２がデータ送信を終了してから次のデータの送信開始時点までをいう。
一方、映像表示装置Ａ：１０３側から見ると、フェーズＦ１は、映像を受信するフェーズを示す。よって、フェーズＦ１の時間間隔とは、映像表示装置Ａが映像配信サーバ１０２からデータの受信を開始してからそのデータの受信を終了するまでの期間をいう。フェーズＦ２は、映像表示装置Ａ：１０３を送信するフェーズ、または／およびデータを再生（表示）するフェーズを示す。よって、フェーズＦ２の時間間隔とは、映像表示装置Ａがデータを映像表示装置Ｂへ送信を開始してからそのデータの送信を終了するまでの期間をいう。
尚、映像表示装置Ａ：１０３は、次のフェーズＦ１で、前のフェーズＦ２で受信したデータを再生（表示）および／または送信できる。更に、下流の映像表示装置Ｂ側から見ると、フェーズＦ１が映像表示装置Ｂがデータを送信するフェーズを示す。よって、フェーズＦ１の時間間隔とは、映像表示装置Ｂがデータの送信を開始してからデータ送信を終了するまでの期間を示す。フェーズＦ２は、映像表示装置Ｂにとっては、データを受信するフェーズ、またはデータを再生（表示）するフェーズを示す。よって、フェーズＦ２の時間間隔とは、映像表示装置Ｂがデータの受信を開始してからデータ受信を終了するまでの期間を示す。
フェーズＦ１で、映像表示装置Ａはデータの送信を停止し、映像表示装置Ｂはデータの受信を停止している。同様に、フェーズＦ２で、映像表示装置Ｂはデータの送信を停止し、映像表示装置Ａはデータの受信を停止している。映像配信サーバ１０２は、立案者からの入力データに応じて送受信スケジュールを作成してもよいし、他の機器から既に作成された送受信スケジュールを受けてもよい。
第５図は、本発明システムが起動され、データ転送を開始してから各映像表示装置が映像表示を開始するまでの各機器の動作を示す流れ図である。
本システムが起動されると、タイマ同期期間５０２が開始される。この期間では、先ず、映像配信サーバ１０２が同期処理５０４を開始する。同期処理の詳細については後述する。同期処理の目的は、各映像表示装置のタイマの時刻を映像配信サーバ１０２のタイマに合わせることにあり、図示する様に、映像表示装置Ａ、Ｂ、Ｃ、Ｄ、…の順に、隣接する映像表示装置間で順次に実行されていく。
同期処理に要する時間は、ほぼ一定であるため、映像配信サーバ１０２は、最後の映像表示装置で同期処理が完了する時間を予測しておき、全ての映像表示装置１０３のタイマ同期が完了する所定時間が経過した後、データ転送・再生期間５０１のデータ処理を開始する。尚、タイマ同期期間の所要時間は、例えば、映像表示装置の台数をｎ、一対の映像表示装置間での同期処理時間をＳとすると、次の数式（１）で計算できる。
タイマ同期化時間＝Ｓ×（ｎ−１）＋余裕時間…（１）
データ転送再生期間において、映像配信サーバ１０２は、フェーズＦ１で、映像表示装置１０３で表示すべきデータ５０５の送信処理５０７を開始する。この処理の詳細については後述する。送信データは、例えば、映像表示装置１０３に表示される映像データ等であり、各フェーズで送信される映像データは、次の映像データが送信されてくるまでの間に映像表示装置１０３で表示される量の圧縮した映像データを含む。
各映像表示装置は、１つのフェーズでデータの受信処理が終了すると、受信データ５０８の再生、つまり映像データの表示を開始し、次のフェーズでこの受信データを別の映像表示装置に転送する。各映像表示装置では、データ再生中にフェーズが遷移し、次の映像データが受信される。これによって、映像データの受信は断続的であっても、滑らかな映像の再生が可能となる。
第６図は、第５図で説明した同期処理５０４の詳細フローチャートである。このフローチャートは、映像データの送信側（映像表示装置）６０１の動作と受信側（映像表示装置）６０２の動作との関係を示している。
同期処理が開始されると、送信側６０１は、アンテナの指向性を受信側６０２に向ける（６２０）。同様に、受信側６０２は、アンテナの指向性を送信側６０１に向ける（６２１）。アンテナの指向性は、予め記憶装置内に保持させておくのが好ましい。送信側６０１から受信側６０２に接続要求信号が送信され（６０５）、受信側６０２がこの接続要求信号を受信すると、送信側６０１に接続許可信号を送信する（６０６）。上記接続許可信号を送信側６０１が受信することによって、送信側６０１と受信側６０２との間の接続が確立される。
次に、送信側６０１の情報処理部３２３は、タイマ部３２５から現在時刻（時間）を示すタイマ値を取得する（６０７）。送信側６０１は、送受信スケジュールを送信する前に、上記タイマ部３２５のタイマ値を受信側６０２に送信し、受信側６０２との間で同期処理を完了するのが好ましい。
送信側６０１が、取得したタイマ値を受信側６０２へ送信し（６０８）、これを受信側６０２が受信すると、受信側６０２は、受信値をタイマ部３２５にセットすることによって、送信側６０１との時間合わせを行う（６０９）。この後、送信側６０１は、受信側６０２の送受信スケジュールレジスタ３２４に設定すべきスケジュール情報を送信する（６１０）。受信側６０２は、受信したスケジュール情報の値を送受信スケジュールレジスタに設定する（６１３）。
第７図は、第５図で説明したデータ転送処理５０７の詳細を示すフローチャートである。このフローチャートは、データの送信側６０１の動作と受信側６０２の動作の関係について示している。
送信側６０１は、タイマ部でタイマカウントを行っており（７０５）、タイマカウント値が送信フェーズの切替時間に達すると（７０６）、タイマをリセット（７０７）した後、アンテナの指向性を受信側６０２に向ける（６２０）。同様に、受信側６０２は、アンテナの指向性を送信側６０１に向ける（６２１）。その後、送信側６０１は、受信側６０２に接続要求信号を送信する（７０８）。受信側６０２でも、タイマ値をカウントしており（７０９）、送信側から接続要求信号を受信し、且つ、タイマ値が受信フェーズの切替時間になると（７１０）、タイマをリセット（７１２）した後、送信側６０１に接続許可信号を送信する（７１３）。
送信側６０１は、上記接続要求信号を送信した後、受信側から応答が返ってくる迄での時間を計測しており、所定時間が経過しても応答がなかった場合は、受信側のタイマがずれていると判断し（７１４）、タイマ同期処理を開始する（７１５）。尚、映像配信サーバ１０２が映像表示装置Ａのタイマずれを検出した場合は、同期処理要求と映像配信サーバ１０２内のタイマ値とを映像表示装置Ａに送信する。
何れかの映像表示装置１０３が、隣接する映像表示装置のタイマのずれを検出した場合は、映像配信サーバ１０２または送信側に隣接する映像表示装置１０３に対して、映像配信サーバ１０２からのタイマ値の送信を要求する同期処理要求を送信し、上記同期処理要求に応答して、映像配信サーバ１０２が、映像配信サーバ１０２のタイマ値と同期処理要求を映像表示装置Ａに送信することが好ましい。また、この場合のタイマ値や同期処理要求は、送受信スケジュールに従って伝送されるのが好ましい。
送信側６０１と受信側６０２との間に接続が確立されると、送信側６０１は受信側６０２へのデータ送信を開始する（７１６）。受信側６０２では、受信データをバッファに順次蓄積しておく。送信側６０１は、データ送信を完了すると（７１７）、そのフェーズでのデータ送信処理５０７を終了する。受信側６０２は、データ受信処理が完了すると（７１９）、蓄積してあった受信データの再生を開始する（７２０）。
第８図は、本発明のシステムにおいて、各装置間で双方向のデータ転送を行う場合の処理の流れを示している。データ送受信のタイミングは第５図のデータ転送再生期間５０１と同等であるが、各装置は、双方向データ転送期間８０２中に、送信側、受信側の区別無く、隣接する別の装置と双方向にデータ８０１の送受信を行う。
第９図は、双方向データ転送処理の詳細を示す。送信側６０１は、タイマ部でタイマカウント（９０５）を行っており、タイマカウント値が送受信フェーズ切替時間に達すると（９０６）、タイマをリセット（９０７）した後、アンテナの指向性を受信側６０２に向ける（６２０）。同様に、受信側６０２は、アンテナの指向性を送信側６０１に向ける（６２１）。その後、送信側６０１は、受信側６０２に接続要求信号を送信する（９０８）。受信側６０２でも、タイマカウントをしており（９０９）、送信側６０１から接続要求信号を受信し、且つタイマ値が送受信フェーズ切替時間に達すると（９１０）、タイマをリセット（９１４）した後、送信側６０１に接続許可信号を送信する（９１３）。
送信側６０１は、接続要求信号を送信した後、受信側から応答が返ってくるまでの時間を計測しており、もし所定時間が経過しても受信側からの応答がなかった場合は、送受信側のタイマがずれていると判断し（９１２）、タイマ同期処理を開始する（９１５）。送信側６０１と受信側６０２との間に接続が確立されると、送信側６０１と受信側６０２の間でデータ送受信を開始する（９１６）。送信側６０１と受信側６０２は、それぞれ受信データをバッファに順次蓄積しておき、データの送受信が終了すると、そのフェーズでの双方向データ転送処理を終了する（９１７〜９２２）。
第１０図は、本発明による無線伝送式の映像表示システムの構成と、そのシステムでの有効通信範囲の他の一例を示す。システム構成１０００は、本発明を適用するシステムの構成を示している。映像配信サーバ１００２は、映像表示装置（Ａ、Ｂ、Ｃ、Ｄ、…）１００３で表示すべき映像データを配信するサーバである。また、各映像表示装置１００３は、サーバ１００２と他の映像表示装置から送信されたデータを表示する機能と、別の映像表示装置にデータを転送する機能を持つ。本実施形態では、映像配信サーバ１００２と映像表示装置１００３には、無指向性の無線通信アンテナ１００１が搭載されている。
これらの機器の通信範囲を各装置の電波の様子１００４に示す。サーバと各映像表示装置の電波は、無指向性の無線通信アンテナ１００１から放射状に放出される。このため、有効通信範囲は、各機器のアンテナを中心とした一定の大きさをもつ円内であり、各機器は、この円内に位置した機器と互いに通信できうる。例えば、映像配信サーバ１００２の有効通信距離１００５内には、映像表示装置Ａが存在しているため、映像配信サーバ１００２と映像表示装置Ａとが互いに通信が可能となる。
図示した様に、複数の映像表示装置Ａ、Ｂ、Ｃ、Ｄ…が直列的に設置されている場合、網掛け領域１００９のように、３台の装置の送信電波が互いに重なる場所が発生する。このような場所では、電波の干渉が発生するため、隣合う装置がそれぞれ別の装置と同時に通信を行うと、通信効率が低下する。例えば、映像配信サーバ１００２と映像表示装置Ａが通信中に、映像表示装置Ａに隣接した映像表示装置Ｂが別の映像表示装置Ｃと通信した場合、映像表示装置Ａのアンテナでは、映像配信サーバ１００２と映像表示装置Ｂの送信電波が互いに干渉する。
第１１図は、この干渉問題を解決する本発明システムでの各装置の通信の様子を示す。本発明では、同時通信可能な装置間の通信パターンとして、フェーズＦ１：１１００、フェーズＦ２：１１０１、フェーズＦ３：１１０２の３種類を用意する。但し、４種類以上であってもよい。それぞれのパターンは、干渉を起こす通信範囲が重ならないように、各装置に通信時間帯を割当てている。
本実施例によれば、フェーズＦ１、Ｆ２、Ｆ３を時分割で切り替えることによって、第１０図に示した電波干渉領域１００９の発生を抑え、通信効率を高めることが可能となる。尚、本実施例では、映像配信サーバ１０２と各映像表示装置１０３は、第３図で示したものと同等の構成を有し、送受信スケジュールレジスタの構成の一部が異なっている。
第１２図は、本実施例における送受信スケジュールレジスタ３２４の構成の一例を示す。レジスタ３２４は、第１１図に示したフェーズＦ１：１１００の時間間隔と、フェーズＦ２：１１０１の時間間隔と、フェーズＦ３：１１０２の時間間隔との組み合せを示す複数のパターン１２０２を記録しており、情報処理部３２３は、これらのパターンに従ってフェーズを切り替えることによって、無線時分割データ転送機能を実現する。
制御パターン数ｎ：４０１は、このレジスタに記録されている有効パターンの数を示し、パターン１〜パターンｎは、それぞれＦ１（フェーズＦ１）時間間隔、Ｆ２（フェーズＦ２）時間間隔、Ｆ３（フェーズＦ３）時間間隔の組合せを示し、第４図と同様に、パターン間では、フェーズＦ１の時間間隔とフェーズＦ２の時間間隔とフェースＦ３の時間間隔が異なる。
第１３図は、本実施例において、システムが起動され、データ転送を開始してから各映像表示装置が映像表示を開始するまでの各装置の動作を示す流れ図である。
システムが起動されると、タイマ同期期間５０２が開始される。この期間では、先ず、映像配信サーバ１００２が同期処理５０４を開始する。この同期処理の目的は、各映像表示装置のタイマの時刻を映像配信サーバ１００２に合わせることにあり、図示した様に、映像表示装置Ａ、Ｂ、Ｃ、Ｄ、…の順に実行されていく。このタイマ同期処理にかかる時間は、ほぼ一定であるため、映像配信サーバ１００２は、タイマ同期処理の終了時間を予測しておき、全ての映像表示装置１００３でタイマ同期が完了する所定時間が経過すると、データ転送再生期間１３０１のデータ処理を開始する。尚、タイマ同期所要時間は、例えば、数式（１）で計算可能である。
データ転送再生期間１３０１では、映像配信サーバ１００２は、フェーズＦ１において、映像表示装置１００３（例えば、装置Ａ、Ｃ、Ｆ）で表示すべきデータ５０５の送信処理５０７を開始する。送信データは、例えば、各映像表示装置１００３に表示される映像データ等であり、各フェーズＦ１で送信される映像データは、次の映像データが送信されてくるまでの間に映像表示装置で表示される量の映像を圧縮したものである。
フェーズＦ１でデータを受信した映像表示装置（例えば、装置Ａ）は、データの受信処理が終了すると、受信データ１３０５の再生、つまり映像の表示を開始し、フェーズＦ２で、上記受信データを下流側の映像表示装置（例えば、装置Ｂ）に転送する。
フェーズＦ２でデータを受信した映像表示装置（例えば、装置Ｂ）は、データの受信処理が終了すると、受信データ１３０５の再生を開始し、フェーズＦ３で、上記受信データを更に下流側の映像表示装置（例えば、装置Ｃ）に転送する。
映像配信サーバ１００２は、次のフェーズＦ１において、次の映像データを含むデータを送信する。この時、フェーズＦ３でデータを受信した映像表示装置（例えば、装置Ｃ）が、受信データを下流の映像表示装置（例えば、装置Ｄ）に転送する。
よって、フェーズＦ１では、映像表示装置Ａはデータの送信を停止し、映像表示装置Ｂはデータの送信及び受信を停止し、映像表示装置Ｃはデータの受信を停止している。同様に、フェーズＦ２では、映像表示装置Ｂはデータの送信を停止し、映像表示装置Ｃはデータの送信及び受信を停止し、映像表示装置Ａはデータの受信を停止している。同様に、フェーズＦ３では、映像表示装置Ｃはデータの送信を停止し、映像表示装置Ａはデータの送信及び受信を停止し、映像表示装置Ｂはデータの受信を停止している。
このように、各映像表示装置が受信データを再生中にフェーズＦ１、Ｆ２、Ｆ３を順次に遷移し、各映像表示装置が予め割当てられたフェーズで新たな映像データを受信し、次のフェーズでこれを転送することによって、データ受信は断続的であっても、映像は滑らかに再生することが可能となる。
第１４図は、本発明のシステムにおいて、各装置間で双方向にデータ転送を行う場合の処理の流れを示している。データ送受信のタイミングは、第１３図のデータ転送再生期間１３０１と同等であるが、各装置は、双方向データ転送期間に、送信側、受信側の区別無く、隣接する別の装置と双方向にデータの送受信を行う。
本実施例において、送受信スケジュールのフェーズ数は、映像表示装置が通信可能な他の映像表示装置の数に応じて決定することが好ましい。つまり、第２図で示したように、指向性アンテナを備えたことによって、通信可能な範囲内に位置する他の映像表示装置を１台に限定できる場合は、送受信スケジュールもフェーズＦ１とフェーズＦ２の２フェーズとし、第１０図で示したように、無指向性アンテナを備えたことによって、通信可能な範囲内に位置する他の映像表示装置の数が２となった場合は、送受信スケジュールをフェーズＦ１、フェーズＦ２、フェーズＦ３の３フェーズとするのが好ましい。
【産業上の利用可能性】  本発明によれば、映像表示装置毎にデータ送受信間隔をずらしたことによって、隣接する映像表示装置間での電波干渉を抑制して、複数の映像表示装置に無線で映像を伝送することができる。
本発明によれば、各映像表示装置内のタイマを利用して送受信タイミングを制御することによって、映像表示装置の台数が増えても、データの送受信を制御するための制御信号の増加を抑制し、帯域浪費を回避できる。
本発明によれば、映像表示装置毎にデータ送受信期間が予め判っているため、データ送受信間隔以外での各映像表示装置の通信部への電力供給を停止することによって、各映像表示装置の消費電力が削減できる。
本発明によれば、映像表示装置単位で見ると既存の無線通信方式の送受信タイミングを一定間隔で切り替えるだけであるので、既存の無線通信機器の制御ソフトウェアを変更するだけでよく、開発が容易である。
本発明によれば、各映像表示装置がデータ受信フェーズで他の装置から受信したデータ圧縮された映像情報を一時的にバッファリングしておき、これをデータ送信フェーズ期間に表示画面に出力するようにしているため、データ送受信が断続的に行われても、連続的な動画を表示することが可能になる。
本発明によれば、各映像表示装置をデータ中継機として映像データが伝送されているため、通信基地局と各映像表示装置の通信範囲が狭くても、システム全体として広範囲にデータを配信することが可能になる。
【図１】
2004068740.tif 000003
【図２】
2004068740.tif 000004
【図３】
2004068740.tif 000005
【図４】
2004068740.tif 000006
【図５】
2004068740.tif 000007
【図６】
2004068740.tif 000008
【図７】
2004068740.tif 000009
【図８】
2004068740.tif 000010
【図９】
2004068740.tif 000011
【図１０】
2004068740.tif 000012
【図１１】
2004068740.tif 000013
【図１２】
2004068740.tif 000014
【図１３】
2004068740.tif 000015
【図１４】
2004068740.tif 000016
【国際調査報告】
2004068740.tif 000017
2004068740.tif 000018
2004068740.tif 000019